【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
無線通信システムにおいて、プライマリセル及びセカンダリセルを含む複数のセルで構成された通信装置によってアップリンク制御情報を伝送する方法であって、前記方法は、
表１を含む関係に従って、複数のＰＵＣＣＨ（Ｐｈｙｓｉｃａｌ  Ｕｐｌｉｎｋ  Ｃｏｎｔｒｏｌ  Ｃｈａｎｎｅｌ）リソースから、ＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）（０）及びＨＡＲＱ−ＡＣＫ（１）に対応する一つのＰＵＣＣＨリソースを選択することと、
前記選択されたＰＵＣＣＨリソースを用いて前記ＨＡＲＱ−ＡＣＫ（０）及び前記ＨＡＲＱ−ＡＣＫ（１）に対応するｂ（０）ｂ（１）を伝送することと
を含み、
前記ｂ（０）ｂ（１）は、表１を含む前記関係に従って与えられ、
【化１】
2013530652.tif 000001
ここで、前記ＨＡＲＱ−ＡＣＫ（０）は、前記プライマリセルと関連したデータブロックに対するＡＣＫ／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答を表し、前記ＨＡＲＱ−ＡＣＫ（１）は、前記セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記複数のＰＵＣＣＨリソースを表し、ｎ（１）ＰＵＣＣＨ，０は、前記プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表す、方法。
【請求項２】
前記ＨＡＲＱ−ＡＣＫ（０）がＤＴＸであり、前記ＨＡＲＱ−ＡＣＫ（１）がＮＡＣＫである場合、行われる伝送がない、請求項１に記載の方法。
【請求項３】
前記プライマリセルは、ＰＣＣ（ｐｒｉｍａｒｙ  ｃｏｍｐｏｎｅｎｔ  ｃａｒｒｉｅｒ）を含み、前記セカンダリセルは、ＳＣＣ（ｓｅｃｏｎｄａｒｙ  ｃｏｍｐｏｎｅｎｔ  ｃａｒｒｉｅｒ）を含む、請求項１に記載の方法。
【請求項４】
プライマリセル及びセカンダリセルを含む複数のセルで構成され、かつ、無線通信システムにおいてアップリンク制御情報を伝送するように構成された通信装置であって、前記通信装置は、
無線周波数（ＲＦ）ユニットと、
プロセッサと
を含み、
前記プロセッサは、
表１を含む関係に従って、複数のＰＵＣＣＨ（Ｐｈｙｓｉｃａｌ  Ｕｐｌｉｎｋ  Ｃｏｎｔｒｏｌ  Ｃｈａｎｎｅｌ）リソースから、ＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）（０）及びＨＡＲＱ−ＡＣＫ（１）に対応する一つのＰＵＣＣＨリソースを選択することと、
前記選択されたＰＵＣＣＨリソースを用いて前記ＨＡＲＱ−ＡＣＫ（０）及び前記ＨＡＲＱ−ＡＣＫ（１）に対応するｂ（０）ｂ（１）を伝送することと
を行うように構成され、
前記ｂ（０）ｂ（１）は、表１を含む前記関係に従って与えられ、
【化２】
2013530652.tif 000002
ここで、前記ＨＡＲＱ−ＡＣＫ（０）は、前記プライマリセルと関連したデータブロックに対するＡＣＫ／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答を表し、前記ＨＡＲＱ−ＡＣＫ（１）は、前記セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記複数のＰＵＣＣＨリソースを表し、ｎ（１）ＰＵＣＣＨ，０は、前記プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表す、通信装置。
【請求項５】
前記ＨＡＲＱ−ＡＣＫ（０）がＤＴＸであり、前記ＨＡＲＱ−ＡＣＫ（１）がＮＡＣＫである場合、行われる伝送がない、請求項４に記載の通信装置。
【請求項６】
前記プライマリセルは、ＰＣＣ（ｐｒｉｍａｒｙ  ｃｏｍｐｏｎｅｎｔ  ｃａｒｒｉｅｒ）を含み、前記セカンダリセルは、ＳＣＣ（ｓｅｃｏｎｄａｒｙ  ｃｏｍｐｏｎｅｎｔ  ｃａｒｒｉｅｒ）を含む、請求項４に記載の通信装置。
【手続補正２】
【補正対象書類名】明細書
【補正対象項目名】０１５１
【補正方法】変更
【補正の内容】
【０１５１】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
本願明細書は、例えば、以下の項目も提供する。
（項目１）
無線通信システムにおいてプライマリセル及びセカンダリセルを含む複数のセルが構成された状況でアップリンク制御情報を伝送する方法であって、
ＰＵＣＣＨ（Ｐｈｙｓｉｃａｌ  Ｕｐｌｉｎｋ  Ｃｏｎｔｒｏｌ  Ｃｈａｎｎｅｌ）フォーマット１のための複数のＰＵＣＣＨリソースから、複数のＨＡＲＱ  ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのＰＵＣＣＨリソースを選択し、
前記選択されたＰＵＣＣＨリソースを用いて前記複数のＨＡＲＱ−ＡＣＫに対応するビット値を伝送すること、を含み、
前記複数のＨＡＲＱ−ＡＣＫ、ＰＵＣＣＨリソース、ビット値間の関係は、表１の関係を含む方法：
【化３】
2013530652.tif 000003
表１で、ＨＡＲＱ−ＡＣＫ（０）は、プライマリセルと関連したデータブロックに対するＡＣＫ／ＮＡＣＫ／ＤＴＸ応答を表し、ＨＡＲＱ−ＡＣＫ（１）は、セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は前記ビット値を表す。
（項目２）
前記複数のＨＡＲＱ−ＡＣＫ、ＰＵＣＣＨリソース、ビット値間の関係は、表２の関係をさらに含む、項目１に記載の方法：
【化４】
2013530652.tif 000004
表２で、ＨＡＲＱ−ＡＣＫ（０）（１）は、プライマリセルと関連したデータブロックに対するＡＣＫ／ＮＡＣＫ／ＤＴＸ応答を表し、ＨＡＲＱ−ＡＣＫ（２）（３）は、セカンダリセルと関連したデータブロックに対するＡＣＫ／ＮＡＣＫ／ＤＴＸ応答を表し、ｎ（１）ＰＵＣＣＨ，ｉ（ｉ＝０，１，２，３）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は、前記ビット値を表す。
（項目３）
前記ＨＡＲＱ−ＡＣＫ（０）がＤＴＸであり、前記ＨＡＲＱ−ＡＣＫ（１）がＮＡＣＫである場合、前記複数のＨＡＲＱ−ＡＣＫは、伝送がドロップされる、項目１に記載の方法。
（項目４）
前記ＨＡＲＱ−ＡＣＫ（０）（１）がいずれもＤＴＸであり、前記ＨＡＲＱ−ＡＣＫ（２）（３）がいずれもＮＡＣＫである場合、前記複数のＨＡＲＱ−ＡＣＫは、伝送がドロップされる、項目２に記載の方法。
（項目５）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目１に記載の方法。
（項目６）
無線通信システムにおいてプライマリセルとセカンダリセルを含む複数のセルが構成された状況でアップリンク制御情報を伝送するように構成された通信装置であって、
無線周波数（Ｒａｄｉｏ  Ｆｒｅｑｕｅｎｃｙ、ＲＦ）ユニットと、
プロセッサと、を含み、
前記プロセッサは、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１のための複数のＰＵＣＣＨリソースから、複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのＰＵＣＣＨリソースを選択し、前記選択されたＰＵＣＣＨリソースを用いて前記複数のＨＡＲＱ−ＡＣＫに対応するビット値を伝送するように構成され、
前記複数のＨＡＲＱ−ＡＣＫ、ＰＵＣＣＨリソース、ビット値間の関係は、表１の関係を含む通信装置：
【化５】
2013530652.tif 000005
表１で、ＨＡＲＱ−ＡＣＫ（０）は、プライマリセルと関連したデータブロックに対するＡＣＫ／ＮＡＣＫ／ＤＴＸ応答を表し、ＨＡＲＱ−ＡＣＫ（１）は、セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は前記ビット値を表す。
（項目７）
前記複数のＨＡＲＱ−ＡＣＫ、ＰＵＣＣＨリソース、ビット値間の関係は、表２の関係をさらに含む、項目６に記載の通信装置：
【化６】
2013530652.tif 000006
表２で、ＨＡＲＱ−ＡＣＫ（０）（１）は、プライマリセルと関連したデータブロックに対するＡＣＫ／ＮＡＣＫ／ＤＴＸ応答を表し、ＨＡＲＱ−ＡＣＫ（２）（３）は、セカンダリセルと関連したデータブロックに対するＡＣＫ／ＮＡＣＫ／ＤＴＸ応答を表し、ｎ（１）ＰＵＣＣＨ，ｉ（ｉ＝０，１，２，３）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は、前記ビット値を表す。
（項目８）
前記ＨＡＲＱ−ＡＣＫ（０）がＤＴＸであり、前記ＨＡＲＱ−ＡＣＫ（１）がＮＡＣＫである場合、前記複数のＨＡＲＱ−ＡＣＫは、伝送がドロップされる、項目６に記載の通信装置。
（項目９）
前記ＨＡＲＱ−ＡＣＫ（０）（１）がいずれもＤＴＸであり、前記ＨＡＲＱ−ＡＣＫ（２）（３）がいずれもＮＡＣＫである場合、前記複数のＨＡＲＱ−ＡＣＫは、伝送がドロップされる、項目６に記載の通信装置。
（項目１０）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目６に記載の通信装置。
（項目１１）
無線通信システムにおいてプライマリセルとセカンダリセルを含む複数のセルが構成された状況で端末がアップリンク制御情報を伝送する方法であって、
複数のアップリンク制御チャネルリソースから、複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのアップリンク制御チャネルリソースを選択し、
前記選択されたアップリンク制御チャネルリソースを用いて前記複数のＨＡＲＱ−ＡＣＫに対応する変調シンボルを伝送すること、を含み、
それぞれのＨＡＲＱ−ＡＣＫは、ＡＣＫ／ＮＡＣＫ／ＤＴＸ応答を表し、
プライマリセルと関連したデータブロックに対する一つ以上の第１ＨＡＲＱ−ＡＣＫを除いて、一つ以上のセカンダリセルと関連したデータブロックに対する第２ＨＡＲＱ−ＡＣＫがいずれもＮＡＣＫまたはＤＴＸ（Ｄｉｓｃｏｎｔｉｎｕｏｕｓ  Ｔｒａｎｓｍｉｓｓｉｏｎ）であれば、前記複数のＨＡＲＱ−ＡＣＫ及び前記変調シンボルのマッピング関係は、前記一つ以上の第１ＨＡＲＱ−ＡＣＫを基準に、単一ダウンリンクキャリア上から受信された一つ以上のデータブロックに対するＨＡＲＱ−ＡＣＫ及び変調シンボルのマッピング関係と同一である、方法。
（項目１２）
前記一つ以上の第１ＨＡＲＱ−ＡＣＫがいずれもＤＴＸであり、前記第２ＨＡＲＱ−ＡＣＫがいずれもＮＡＣＫである場合、前記複数のＨＡＲＱ−ＡＣＫは、伝送がドロップされる、項目１１に記載の方法。
（項目１３）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目１１に記載の方法。
（項目１４）
前記アップリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、前記ダウンリンク制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含む、項目１１に記載の方法。
（項目１５）
無線通信システムにおいてプライマリセルとセカンダリセルを含む複数のセルが構成された状況でアップリンク制御情報を伝送するように構成された通信装置であって、
無線周波数（Ｒａｄｉｏ  Ｆｒｅｑｕｅｎｃｙ、ＲＦ）ユニットと、
プロセッサと、を含み、
前記プロセッサは、複数のアップリンク制御チャネルリソースから、複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのアップリンク制御チャネルリソースを選択し、前記選択されたアップリンク制御チャネルリソースを用いて前記複数のＨＡＲＱ−ＡＣＫに対応する変調シンボルを伝送するように構成され、
それぞれのＨＡＲＱ−ＡＣＫはＡＣＫ／ＮＡＣＫ／ＤＴＸ応答を表し、
プライマリセルと関連したデータブロックに対する一つ以上の第１ＨＡＲＱ−ＡＣＫを除いて、一つ以上のセカンダリセルと関連したデータブロックに対する第２ＨＡＲＱ−ＡＣＫがいずれもＮＡＣＫまたはＤＴＸ（Ｄｉｓｃｏｎｔｉｎｕｏｕｓ  Ｔｒａｎｓｍｉｓｓｉｏｎ）であれば、前記複数のＨＡＲＱ−ＡＣＫ及び前記変調シンボルのマッピング関係は、前記一つ以上の第１ＨＡＲＱ−ＡＣＫを基準に、単一ダウンリンクキャリア上から受信された一つ以上のデータブロックに対するＨＡＲＱ−ＡＣＫ及び変調シンボルのマッピング関係と同一である、通信装置。
（項目１６）
前記一つ以上の第１ＨＡＲＱ−ＡＣＫがいずれもＤＴＸであり、前記第２ＨＡＲＱ−ＡＣＫがいずれもＮＡＣＫである場合、前記複数のＨＡＲＱ−ＡＣＫは、伝送がドロップされる、項目１５に記載の通信装置。
（項目１７）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目１５に記載の通信装置。
（項目１８）
前記アップリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、前記ダウンリンク制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含む、項目１５に記載の通信装置。